(57)【特許請求の範囲】
【請求項１】
基板取付部に取り付けられた基板と、前記基板の背面に半導体を介して取り付けられたヒートシンクとを有し、壁面に並べて据え付けられる複数台の機器に対応した数の配線を、壁の一箇所に設けた接続孔からまとめて引き出して、各機器用の配線を各機器の端子部に接続するための壁面据付機器のキャビネット構造であって、
前記キャビネットの背面に開口し、前記接続孔に一端が対向して配置され、前記キャビネット内の奥行き方向に形成され、前記接続孔から引き出した配線のみを通すために周囲を壁で覆った第１配線スペースと、
前記第１配線スペースの他端が連続し、前記キャビネット内の幅方向の全長に亘って形成され、前記第１配線スペースを通過した配線を前記第１配線スペースの他端を超えた部分で折り曲げて前記キャビネット内の幅方向に引き出して通す第２配線スペースと、
前記第２配線スペースの一端が連続し、前記キャビネットの一側面に形成された第１ノックアウト部と、
前記第２配線スペースの他端が連続し、前記キャビネットの他側面に形成された第２ノックアウト部と、
を有することを特徴とする壁面据付機器のキャビネット構造。
【請求項２】
前記第１配線スペース及び前記第２配線スペースが、前記キャビネットの下面に沿って形成される、請求項１に記載の壁面据付機器のキャビネット構造。
【請求項３】
前記第１配線スペースが前記キャビネットの一側面に沿って形成される、請求項２に記載の壁面据付機器のキャビネット構造。
【請求項４】
前記キャビネットは筒状に形成され、その端面の一部がＬ字状になるように内側に折り込んだ折り曲げ部を有し、前記折り曲げ部が前記第１配線スペースを構成する、請求項１〜３のいずれかに記載の壁面据付機器のキャビネット構造。
【請求項５】
前記キャビネット垂直方向に橋梁板が立設され、前記橋梁板および前記キャビネットが前記第２配線スペースを構成する、請求項４に記載の壁面据付機器のキャビネット構造。
【請求項６】
前記橋梁板の前記第２ノックアウト部側の端部が前記キャビネットの奥行き方向に傾斜する、請求項５に記載の壁面据付機器のキャビネット構造。
【請求項７】
前記第１配線スペースの一側面及び下面がカバーにより着脱自在に構成される、請求項３〜６のいずれかに記載の壁面据付機器のキャビネット構造。
【請求項８】
前記カバーに前記第１ノックアウト部が設けられた、請求項７に記載の壁面据付機器のキャビネット構造。
【請求項９】
前記第１ノックアウト部が前記カバーの上端から連続して形成された、請求項８記載の壁面据付機器のキャビネット構造。
【発明の詳細な説明】
【技術分野】
【０００１】
この発明は、壁面に据え付けられて使用される機器のキャビネット構造に関する。
【背景技術】
【０００２】
近年、環境意識の高まりから、太陽光発電用のソーラーパネルを設置した家屋や店舗が増えている。ソーラーパネルで発電した電力は屋内または屋外の壁面（以下、「壁面」と称する場合がある。）に設置される電力調整器で調整され、屋内配電線や電力会社などの送電線に供給される。電力調整器は、壁面に固定した据付板に引っ掛けて据え付けられる（例えば、特許文献１、２等参照）。据付板は、例えば、型紙を使用して据え付けられたり、据え付けられた電力調整器の水平精度を出すために水準器などを用いて水平を確認して固定されたりする。
【０００３】
店舗などは多くの電力を必要とするため、複数台の電力調整器を設置して対応している。複数台の電力調整器は設置スペースなどの関係から壁面の１箇所に集中して配置され、横方向に並べて据え付けられるのが普通である。各電力調整器は接続箱に接続された配線を接続するための端子部を備えている。この配線は壁に設けた接続孔から壁面側に引き出されるが、壁の奥の配線が通っている場所や壁面の空きスペースなどの様々な制約や、工事の利便性、さらには家屋の壁面に複数の接続孔を開けるのは見栄えが悪いなどの理由から、配線を壁の奥から引き出すための接続孔を一箇所しか開けられない場合がある。
【０００４】
このように、複数台の電力調整器に対応した数の配線を引き出して、壁の一箇所に設けた接続孔から各電力調整器の端子部に接続する場合、電力調整器のキャビネットの外部に配線が露出することが避けられない。露出した配線はノイズをだす要因にもなり電力調整器の据付状態を見苦しくするため、出来るだけ露出する長さは短くすることが望ましい。
【先行技術文献】
【特許文献】
【０００５】
【特許文献１】実開平６−０８４２１６号公報
【特許文献２】特開平１１−１３２５５１号公報
【発明の概要】
【発明が解決しようとする課題】
【０００６】
本発明は、上記の事情に鑑みて、壁面に並べて据え付けられる複数台の機器に対応した数の配線を、キャビネットの内部を通しながらすっきりと配線することが可能な壁面据付機器のキャビネット構造を提供することを目的とする。
【課題を解決するための手段】
【０００７】
本発明は、壁の一箇所に設けた接続孔からまとめて引き出して、各機器用の配線を各機器の端子部に接続するのに好適なキャビネット構造を提案する。本発明のキャビネット構造は、第１配線スペース、第２配線スペース、第１ノックアウト部及び第２ノックアウト部を有する。前記第１配線スペースは前記キャビネットの背面に開口し、前記接続孔に一端が対向して配置され、前記キャビネット内の奥行き方向に形成される。前記第２配線スペースは前記第１配線スペースの他端が連続し、前記キャビネット内の幅方向の全長に亘って形成される。前記第１ノックアウト部は前記第２配線スペースの一端が連続し、前記キャビネットの一側面に形成される。前記第２ノックアウト部は前記第２配線スペースの他端が連続し、前記キャビネットの他側面に形成される。
【０００８】
このキャビネット構造によると、複数台の機器が壁面に並べて据え付けられると、隣接する２台の機器については、一方の機器のキャビネット一側面の第１ノックアウト部と、他方の機器のキャビネット他側面の第２ノックアウト部とは、互いに対向する位置関係となる。あるいは、一方の機器のキャビネット他側面の第２ノックアウト部と、他方の機器のキャビネット一側面の第１ノックアウト部とは、互いに対向する位置関係となる。
【０００９】
そこで、壁の一箇所に設けた接続孔から、壁面に並べて据え付けられる複数台の機器に対応した数の配線をまとめて引き出し、一の機器のキャビネットの第１ノックアウト部から、前記複数台の機器に対応した数の配線を当該一の機器のキャビネット内に導入し、当該一の機器のキャビネット内の第１配線スペースを通す。そして、当該一の機器用の配線のみを当該一の機器の端子部に接続する。一方、他の機器用の配線は、当該一の機器のキャビネット内の第２配線スペースを通し、当該一の機器のキャビネットの前記第１ノックアウト部または前記第２ノックアウト部をノックアウトして導出する。さらに、他の機器のキャビネットの前記第２ノックアウト部または前記第１ノックアウト部をノックアウトして当該他の機器のキャビネット内に導入し、当該他の機器用の配線を当該他の機器の端子部に接続する。
【００１０】
なお、キャビネット内のデッドスペースを配線スペースとして有効利用するために、前記第１配線スペース及び前記第２配線スペースを、前記キャビネットの下面に沿って形成することが望ましい。この場合、前記第１配線スペースを、前記キャビネットの一側面に沿って形成すると、配線の取り付け作業を容易に行なうことができる。
【００１１】
前記キャビネットは一例として筒状に形成され、その端面の一部をＬ字状に内側に折り込んだ折り曲げ部を有する。これにより、折り曲げ部に前記第１配線スペースが構成される。また、前記キャビネット垂直方向に橋梁板を立設してもよい。これにより、前記橋梁板および前記キャビネットによって前記第２配線スペースが構成される。
【００１２】
なお、前記橋梁板の前記第２ノックアウト部側の端部を前記キャビネットの奥行き方向に傾斜させた橋梁板形状を採用することで、前記第２ノックアウト部を、前記キャビネットの奥行き方向において橋梁板が立設される位置よりも奥に設けることが可能となる。この際、第２配線スペースに通される配線は、橋梁板の傾斜に沿って緩やかに曲げられるので、配線の曲げられた部分に作用するストレスを低減することが出来る。
【００１３】
また、上記のようにキャビネットを筒状に形成することで、前記第１配線スペースの一側面及び下面を、カバーにより着脱自在に構成することが可能になる。これによると、配線及び接続作業中は前記カバーを取り外しておくことで、前記第１配線スペースが開放されるので、作業性が良くなる。この場合、前記カバーに前記第１ノックアウト部を設けておけば、前記カバーを取り外した状態で前記第１ノックアウト部のノックアウトを行えるので作業がしやすい。
【００１４】
また、前記第１ノックアウト部を前記カバーの上端から連続して形成すると、前記カバー上端から配線をスライドして前記第１ノックアウト部に通すことができる。
【発明の効果】
【００１５】
この発明によれば、壁の一箇所に設けた接続孔から、壁面に並べて据え付けられる複数台の機器に対応した数の配線をまとめて引き出し、キャビネットの内部を通しながらすっきりと配線することが出来る。すなわち、配線のほとんどはキャビネットの内部に隠れ、キャビネットの外部には最小限の長さの配線しか露出しないので、機器の据え付け状態が見苦しくならない。また、壁に設ける接続孔が１箇所で済むため、工事の作業性が良い。
【図面の簡単な説明】
【００１６】
【図１】は本発明の一実施の形態に係る電力調整器のキャビネット構造の概略を示す斜視図である。
【図２】は上記電力調整器を示す正面断面図である。
【図３】は上記電力調整器を示す側面断面図である。
【図４】は上記電力調整器のキャビネットの一側面に設けられたノックアウト孔（第２開口）を開口した状態を示す斜視図である。
【図５】は上記電力調整器のキャビネットの他側面に設けられたノックアウト孔（第３開口）を開口した状態を示す斜視図である。
【図６】は複数台の上記電力調整器を壁面に並べて据え付けた状態の一例を示す正面図である。
【図７】は上記電力調整器を壁面に据え付けるために使用される据付板を示す正面図である。
【発明を実施するための形態】
【００１７】
以下、本発明の実施の形態を、壁面据付機器の一例として電力調整器を挙げ、図面を参照しながら説明する。
【００１８】
図１は本発明の一実施の形態に係る電力キャビネット構造を示す斜視図である。図２は当該電力調整器を示す正面断面図である。図３は当該電力調整器を示す側面断面図である。図１において、キャビネット内部に配設される基板や部品等などは省略している。
【００１９】
図３において、電力調整器１０のキャビネットはほぼ筒状のメインキャビネット２０、フロントキャビネット（フロントパネル）３０及び背面板４０の３つのパーツに分割可能であり、メインキャビネット２０に対して、フロントキャビネット３０及び背面板４０をビス止めにより固定することで構成される。
【００２０】
メインキャビネット２０は、図１〜図３に示すように、左面（一側面）２１、右面（他側面）２２、下面２３、上面２４、後述する折り曲げ部２５を有する。折り曲げ部２５はメインキャビネット２０の左下部にＬ字状に内側に折り曲げられて形成され、下面２３に平行な折り曲げ上面２５１と左面２１に平行な折り曲げ左面２５２を有する。折り曲げ上面２５１と折り曲げ左面２５２の奥行き方向（図１に示された矢印Ｄの方向参照。）の幅は左面２１および下面２３の奥行き方向の幅よりも短く、前端が左面２１および下面２３の前端より一段奥まっている。メインキャビネット２０に折り曲げ部２５を形成することで、壁６００に接続孔６０１を開ける箇所に対応した矩形状の第１配線スペース１２が形成される。具体的には、第１配線スペース１２はメインキャビネット２０の奥行き方向後端から前端に伸びて、折り曲げ部２５と後述するカバー５０によって形成される略トンネル状を呈した空間である。図示しないが、下面２３、上面２４、折り曲げ上面２５１、折り曲げ左面２５２には放熱孔が形成されている。放熱孔は下面２３と上面２４に加えて、左面２１や右面２２に形成してもよい。
【００２１】
折り曲げ上面２５１の上方（図１に示された矢印Ｈ方向）には、後述する基板７０が取り付けられ、この基板７０に実装された端子台７１に電力調整器１０と壁６００内の接続箱からの配線の端子が接続される。このとき、折り曲げ上面２５１が一段奥まっていることで、端子台７１は折り曲げ上面２５１の前端よりも手前に配置される。また、メインキャビネット２０に後述するカバー５０を取り付けるため、左面２１の下端と下面２３の左端を例えばＬ字やＳ字に折り曲げ加工し、加工した部分それぞれにフック孔２３１が形成される。
【００２２】
メインキャビネット２０の背面を覆う背面板４０の左下隅部には、壁６００の接続孔６０１に対応した矩形の背面板逃げ部４３が設けられる。背面板４０の背面板逃げ部４３の上方は、図３に示すように前側にＬ字状に垂直に折り曲げられた棚４４を形成する。棚４４は折り曲げ上面２５１と当接し、当接した部分をビス止めしてメインキャビネット２０と背面板４０を固定するときに使用される。背面板４０には、取付板２６（図１、図２参照。）が垂直に立設しており、後述するヒートシンク７２、基板７０、橋梁板８０が取り付けられる。取付板２６は所定の高さにヒートシンク７２、基板７０、橋梁板８０が取り付けられればよく、メインキャビネット２０内に複数立設することもできる。
【００２３】
電力調整器１０は、図３、図７に示すように、屋内の壁６００の壁面に固定された据付板４００に引っ掛けて取付けられる。引っ掛けるための構造として、据付板４００に上部にはフック部４０１が切り起こしで形成されている。他方、電力調整器１０のキャビネットを構成する背面板４０には、切り起こしで下面が開口した箱型の掛止部４１を形成し、上記のフック部４０１を係合させるようにしている。また、据付板４００の下部にテーパー台形の凸面部４０２が絞り出しにより形成されている。凸面部４０２は、先端面で背面板４０に当接する。これにより電力調整器１０が傾くことなく安定して壁面に据え付けられる。据付板４００は正面から見て背面板４０とほぼ同形状を成し、据付板４００の左下隅部は、背面板４０の背面板逃げ部４３に対応して矩形状に切り欠かれた据付板逃げ部４０３が形成される。なお、これら背面板逃げ部４３および据付板逃げ部４０３は壁６００の接続孔６０１に対応する開口としてもよい。
【００２４】
そして、据付板４００を壁面に固定した後で、電力調整器１０の背面板４０の掛止部４１を据付板４００のフック部４０１に係合させて取り付け、背面板逃げ部４３及び据付板逃げ部４０３により露出した壁６００に接続孔６０１をあけ、壁６００内の配線３００Ａ〜３００Ｃを電力調整器１０のキャビネット内に引き込むことが出来る。
【００２５】
上述したとおり、メインキャビネット２０の左下隅部に、下面２１および左面２２に沿って第１配線スペース１２が形成されており、配線の取り付け作業を容易に行なうことができる。また、背面板４０と据付板４００にそれぞれ背面板逃げ部４３および据付板逃げ部４０３を設けることで、メインキャビネット２０の前端から壁６００に設けた接続孔６０１まで配線３００Ａ〜３００Ｃを遮ることがない。なお、第１配線スペース１２の一部は後述する第２配線スペース１３に連続する。
【００２６】
また、図１に示すように、第１配線スペース１２の左面２１及び下面２３は、カバー５０により着脱自在に構成されている。カバー５０の左右両端にフック５１が複数設けられている。カバー５０は、これらのフック５１を、メインキャビネット２０の対応箇所に設けられたフック孔２３１に係合させることにより、ビス等を用いることなくメインキャビネット２０に取付けられる。このときカバー５０はメインキャビネット２０と一体になる。つまり、カバー５０の左面及び下面はメインキャビネット２０の左面２１及び下面２３とそれぞれ面一となり、メインキャビネット２０は矩形を呈する。また、カバー５０の奥行き方向の幅はメインキャビネット２０の奥行き方向の幅と略同一に設定されている。
【００２７】
配線３００の端子台７１への接続の作業は、カバー５０を取り外し、第１配線スペース１２が開放された状態で行う。図２、図３に示すように、メインキャビネット２０内には各種の部品や端子台７１が実装された基板７０が配置される。端子台７１には接続孔６０１から伸びる配線３００（３００Ａ）の先端に取り付けられた端子の各々が接続される。第１配線スペース１２を開放しておくことで、この接続作業を容易に行えるとともに、壁６００に接続孔６０１を開ける作業、壁６００から配線３００を引き出す作業、引き出した配線３００を端子台７０１に接続する作業の利便性が向上する。
【００２８】
基板７０の背面には半導体７３を介してヒートシンク７２が設置される。半導体７３の発熱はヒートシンク７２によって放熱されることで、冷却構造が構成される。
【００２９】
図１〜３を参照して取付板２６を説明する。図１、図２に示すように、背面板４０には取付板２６が立設している。取付板２６は、背面板４０の少なくとも２箇所に設けられ、基板７０、後述する橋梁板８０、ヒートシンク７２を所定の奥行きに固定する（図３参照。）。取付板２６は基板７０と半導体７３の設置面延長線上に形成された基板取付部２６Ａと、基板取付部２６Ａよりも一段奥まって半導体７３とヒートシンク７２の設置面延長線上に形成された橋梁板取付部２６Ｂ、橋梁板取付部２６Ｂと略同じ奥行きに形成されたヒートシンク取付部２６Ｃを有する。基板取付部２６Ａ、橋梁板取付部２６Ｂ、ヒートシンク取付部２６Ｃはそれぞれ取付板２６を垂直に折り曲げ、折り曲げた部分に少なくともひとつの孔加工されており、取付板２６に基板７０、ヒートシンク７２、後述する橋梁板８０をビス止めして取り付けることができる。橋梁板取付部２６Ｂは後述する橋梁板８０を下面２３に垂直に立設するよう固定する。橋梁板８０は、ヒートシンク７２と半導体７３の設置面延長線上に、右面２２から折り曲げ左面２５２に延びて立設され、橋梁板８０の前側に、フロントキャビネット３０で覆われるスペース（以下、このスペースを第２配線スペース１３と呼ぶ。）ができる。第２配線スペース１３は複数台の電力調整器１０を並べて据付けする際の配線３００が通るスペースであり、ヒートシンク７２と基板７０の下方のスペースをフロントキャビネット３０側と背面板４０側に仕切るようになっている。したがって、配線３００はヒートシンク７２と半導体７３の設置面延長線上よりも後方を通ることがなく、ヒートシンク７２下方のメインキャビネット２０の放熱孔を遮ることがない。ヒートシンク取付部２６Ｃと橋梁板取付部２６Ｂは奥行き方向の位置が略一致する。基板取付部２６Ａはヒートシンク取付部２６Ｃと橋梁板取付部２６Ｂよりも奥行き方向手前に位置し、半導体７３を介してヒートシンク７２に取り付けられた基板７０を固定する。基板取付部２６Ａと橋梁板取付部２６Ｂは別部材で構成しても良く、更に取付板２６は背面板４０以外の、例えばメインキャビネット２０に形成若しくは取り付けることもできる。
【００３０】
図１、図２に示すように、第２配線スペース１３は橋梁板８０の前側にメインキャビネット２０内の下面２３に沿って幅方向（図１に示された矢印Ｗの方向参照。）の全長に亘って形成されている。本実施の形態では第２配線スペース１３の前側の壁はフロントキャビネット３０と共通である。したがってフロントキャビネット３０を取り外した状態では第２配線スペース１３の前側は開放されているが、前側に壁を形成しても良い。第１配線スペース１２と第２配線スペース１３は互いに直交する方向に形成され、第１配線スペース１２の前端で連続することとなる。
【００３１】
メインキャビネット２０の左面を覆うカバー５０の左面であって、第２配線スペース１３の左壁面に相当する部分には、カバー５０の左面上端から連続する第１ノックアウト部１４が形成されている。本実施の形態では第１ノックアウト部１４がカバー５０の左面上端からカバー５０左面に形成した円形状のノックアウト部に直線を介して連続して形成されている。第１ノックアウト部１４は通常は切り離し可能なノックアウト式の蓋片１４１で閉塞され、メインキャビネット２０の外観に目立たないようになっている。ノックアウト式の蓋片１４１は例えば２点でカバー５０と接続しており、この第１ノックアウト部１４を開口させる際には、図４に示すように蓋片１４１をノックアウトして切り離す。これにより、第１ノックアウト部１４に第１ノックアウト孔１４２が開口され、第１配線スペース１３の左面一部が開放される。開放された第１ノックアウト孔１４２はカバー５０の左面上端から切り欠かれた形状となる。本実施の形態では、第１ノックアウト部１４はカバー５０の左面に設けられており、蓋片１４１のノックアウトを行い、第１ノックアウト孔１４２を開口できるようになっている。
【００３２】
一方、メインキャビネット２０の右面であって、第２配線スペース１３の右壁面に相当する部分には、円形の第２ノックアウト部１５が形成されている。第２ノックアウト部１５は前述同様通常は切り離し可能なノックアウト式の蓋片１５１で閉塞され、メインキャビネット２０の外観に目立たないようになっている。ノックアウト式の蓋片１５１は例えば２点で右面２２と接続しており、この第２ノックアウト部１５を開口させる際には、図５に示すように蓋片１５１をノックアウトして接続部分を切り離す。これにより第２ノックアウト部１５に第２ノックアウト孔１５２が開口され、第２配線スペース１３の右端（他端）が開放される。
【００３３】
壁６００に取り付けられる前の電力調整器１０は、メインキャビネット２０にヒートシンク７２と半導体７３と基板７０などが組み込まれて背面板４０で背面を覆われた本体部１００と、フロントキャビネット３０と、据付板４００と、カバー５０、および配線３００との部分に分けられている。
【００３４】
このように構成されるキャビネット構造において、複数台の電力調整器を壁面に並べて据え付ける場合の配線及び接続作業について図６を参照して以下に説明する。なお、部分的に図１、図３〜５を用いて説明を補足する。本実施の形態では３台の電力調整器１０Ａ〜１０Ｃが、図示の如く、中央の電力調整器１０Ａを基準に、その両隣に他の電力調整器１０Ｂ，１０Ｃを配置される並びで、据え付けられた場合を例に説明する。なお、電力調整器の台数や配置の順番はこれに限定されるものではない。また、図６では電力調整器の据付後の状態を示しているが、配線及び接続作業の間はフロントキャビネット３０とカバー５０（図１参照。）は取り外されているものとする。
【００３５】
隣接する３台の電力調整器１０Ａ〜１０Ｃは、同一高さに同一間隔で取り付けられ、中央の電力調整器１０Ａのキャビネットの左面２１の第１ノックアウト部１４Ａと、左隣りの電力調整器１０Ｂのキャビネットの右面２２の第２ノックアウト部１５Ｂとは、互いに対向し、中央の電力調整器１０Ａのキャビネットの右面２２の第２ノックアウト部１５Ａと、右隣りの電力調整器１０Ｃのキャビネットの左面２１の第１ノックアウト部１４Ｃとは、互いに対向する位置関係となる。
【００３６】
まず中央の電力調整器１０Ａが据え付けられる据付板４００を壁６００に据え付け、据付板４００の据付板逃げ部４０３に相当する壁６００の１箇所に接続孔６０１を形成する。接続孔６０１は３台の電力調整器１０Ａ〜１０Ｃのそれぞれの端子ボックス７１に接続される３本の配線３００Ａ〜３００Ｃと、壁６００の奥にある接続箱とを接続するための孔である。本実施の形態では、中央の電力調整器１０Ａのキャビネットを通して３台の電力調整器１０Ａ〜１０Ｃのすべての配線を、この１つの接続孔６０１に対して配線を行うものとする。
【００３７】
図３に示すように、中央の据付板４００のフック部４０１に本体部１００の背面板４０に形成された掛止部４１を係止して本体部１００を壁６００に取り付ける。このとき、本体部１００と据付板４００をネジなどで固定し、より強固に固定するようにしてもよい。左右に隣接する電力調整器１０Ｂ，１０Ｃも同様に壁６００に取り付ける。そして接続孔６０１から配線３００Ａを引き出し、中央の電力調整器１０Ａの第１配線スペース１２Ａを通して配線３００Ａの端子を端子台７１に接続する。
【００３８】
中央の電力調整器１０Ａの右面とカバー５０の第１および第２ノックアウト部１４Ａ，１５Ａの蓋片１４１，１５１を取り外し（図４、図５参照）、第１および第２ノックアウト孔１４２Ａ，１５２Ａを開口する。また中央の電力調整器１０Ａの左に隣接する電力調整器１０Ｂの右面の第２ノックアウト部１５Ｂも同様にして第２ノックアウト孔１５２Ｂを開口し、さらに右に隣接する電力調整器１０Ｃのカバー５０の第１ノックアウト部１４Ｃも同様にして第１ノックアウト孔１４２Ｃを開放する。このとき両外側となる電力調整器１０Ｂのカバー５０の第１ノックアウト部１４Ｂと電力調整器１０Ｂの第２ノックアウト部１５Ｃは蓋片１４１，１５１が取り付けられたままで、電力調整器１０Ｂ，１０Ｃの両外側は露出していない。そのため、ねずみやヤモリなどの生き物がキャビネット内部に入り込むことが防止できる。
【００３９】
左隣りの電力調整器１０Ｂの配線３００Ｂは、第２ノックアウト孔１５２Ｂから電力調整器１０Ｂに導入され、第２配線スペース１３Ｂから電力調整器１０Ｂの端子台７１に接続される。右隣の電力調整器１０Ｃの配線３００Ｃは、中央の電力調整器１０Ａの第２ノックアウト孔１５２Ａから解放されている第２配線スペース１３Ｃを通って電力調整器１０Ｃの端子台７１に接続される。
【００４０】
このようにして、壁６００奥の接続箱から３本の配線３００Ａ〜３００Ｃが１つの接続孔６０１から引き出され、全て中央の電力調整器１０Ａの第１配線スペース１２Ａから導かれ、３台の電力調整器１０Ａ〜１０Ｃそれぞれの端子台７１へと接続される。
【００４１】
配線終了後、電力調整器１０Ａ〜１０Ｃのカバー５０をメインキャビネット２０に取り付け、最後にフロントキャビネット３０で正面を覆うことで、電力調整器１０の取付が完了する。このとき、電力調整器１０Ａ、１０Ｃのカバー５０の第１ノックアウト部１４Ａ、１４Ｃがカバー５０の左面上端から連続して開口しているために、カバー５０上端から連続している第１ノックアウト部１４Ａ、１４Ｃの直線部分に配線３００Ｂ、３００Ｃをスライドさせて第１ノックアウト部１４Ａ、１４Ｃ円形状部分に通すことができる。これにより配線３００Ｂ、３００Ｃの先端（端子部分）から第１ノックアウト部１４Ａ、１４Ｃに予め通してカバー５０を付けたまま作業を行う必要がなくなる。したがって、配線の接続作業を行なった後にカバー５０を取り付けることができるので接続作業時にカバー５０が邪魔になることもなく配線の取り付け作業を容易かつ効率的に行なうことができる。
【００４２】
なお、第１および第２ノックアウト部１４、１５はメインキャビネット２０の奥行き方向中央付近に設けることができる。このとき第２ノックアウト孔１５２が橋梁板８０の手前に位置するよう、橋梁板８０の第２ノックアウト部１５側を奥行き方向に傾斜させる。こうすることで、接続孔６０１から引き出された配線３００Ｂ、３００Ｃが第１および第２ノックアウト部１４Ａ、１５Ｂ、１５Ａ，１４Ｃを通って電力調整器１０Ｂ、１０Ｃの端子に接続される配線３００が急角度にまげられることなく、配線３００にかかるストレスを低減することができる。さらに、第１および第２ノックアウト部１４、１５は電力調整器１０の内側に窪ませることができる。窪ませることで第１および第２ノックアウト部１４、１５の周縁には段ができるために、開口する際に段をガイドとしてノックアウトすることができる。さらに開口された第１および第２ノックアウト部１４、１５には円形状の開口可能なゴム蓋を取り付けることができる。ゴム蓋を取り付け、ゴム蓋を開口させて配線３００を通すことで、開口した第１および第２ノックアウト部と配線３００との隙間をゴム蓋が覆い、ねずみやヤモリなどの生き物が不必要にキャビネット内部に侵入することが防止できる。なお、カバー５０に形成された第１ノックアウト部１４には、端子接続前にあらかじめ配線３００の先端からゴム蓋を開口して通し、配線３００がゴム蓋を通った状態で、カバー５０の左面上端から連続した直線部分からゴム蓋ごとスライドさせて円形状部分に導入することができる。もしくは、開口した第１ノックアウト部１４にあらかじめゴム蓋を取り付けておき、開口したままの直線部分から（ゴム蓋上部）切れ込みを入れておくことで、配線３００をカバー５０の上端から連続した直線部分にスライドさせて円形状部分に導入させることができる。
【００４３】
本実施の形態によると、壁面に並べて据え付けられる複数台の機器に対応した数の配線を、壁の一箇所に設けた接続孔にまとめて引き回し、キャビネットの内部を通しながらすっきりと配線できる。すなわち、配線のほとんどはキャビネットの内部に隠れ、キャビネットの外部には最小限の長さの配線しか露出しないので、見苦しくならない。また、壁に設ける接続孔が１箇所で済むため、工事の作業性が良い。キャビネット内部に配線を引き出しまたは引き入れる孔を、切り離し可能なノックアウト部とし、必要に応じて適否開口を設けるようにしたため、不要な孔を予め形成しなくてもよく、ねずみやヤモリなどの生き物が不必要にキャビネット内部に侵入することが防止できる。
【００４４】
上述の実施形態の説明は、すべての点で例示であって、制限的なものではないと考えられるべきである。この発明の範囲は、上述の実施形態ではなく、特許請求の範囲によって示される。さらに、この発明の範囲には、特許請求の範囲と均等の意味および範囲内でのすべての変更が含まれることが意図される。
【符号の説明】
【００４５】
１０Ａ，１０Ｂ，１０Ｃ…電力調整器
１２…第１配線スペース
１３…第２配線スペース
１４…第１ノックアウト部
１４１…蓋片
１５…第２ノックアウト部
１５１…蓋片
２０…メインキャビネット
２１…左面（一側面）
２２…右面（他側面）
２５…折り曲げ部
２５１…折り曲げ上面
２５２…折り曲げ左面
２６…取付板
２６Ａ…基板取付部
２６Ｂ…橋梁板取付部
２６Ｃ…ヒートシンク取付部
３０…フロントキャビネット
４０…背面板
４１…掛止部
５０…カバー
７０…基板
７１…端子台
７２…ヒートシンク
８０…橋梁板
３００，３００Ａ，３００Ｂ，３００Ｃ…配線
４００…据付板
６００…壁
６０１…接続孔 
【図１】
0005869852.tif 000002
【図２】
0005869852.tif 000003
【図３】
0005869852.tif 000004
【図４】
0005869852.tif 000005
【図５】
0005869852.tif 000006
【図６】
0005869852.tif 000007
【図７】
0005869852.tif 000008